(57)【特許請求の範囲】
【請求項１】
複数のベースコンタクトが設けられたベースプレートと、
後端側が前記ベースプレートに枢結されて前端側が上下に揺動可能に支持され、カードを受容保持するカード保持部を有したカードホルダとを備え、
前記ベースプレートに対して前記カードホルダを上方に揺動させた開姿勢位置で前記カード保持部に前記カードを受容して保持するように構成され、
前記カード保持部に前記カードを受容保持させた前記カードホルダを前記ベースプレートの上面を覆うように閉じた閉姿勢位置まで揺動させると、前記カードの面端子がこれに対応した前記ベースコンタクトに当接接触し、前記閉姿勢位置に揺動された前記カードホルダを前記ベースプレートの上面上に沿ってスライド移動させると、前記カードホルダが閉姿勢状態で前記ベースコンタクトにロックされるように構成されたカードコネクタにおいて、
前記ベースプレートには、上下に移動可能な接触部を有した第１スイッチコンタクトと、左右に移動可能な接点部を有した第２スイッチコンタクトとが設けられ、
前記第１スイッチコンタクトは、前記カードを受容保持した前記カードホルダを前記閉姿勢位置に揺動させると、前記接触部が前記接点部の上下位置と略同じ上下位置に移動するように構成され、
前記第２スイッチコンタクトは、前記カードホルダを前記閉姿勢位置に揺動させた状態で前記ベースプレートの上面上に沿ってスライド移動させて、前記カードホルダを前記ベースプレートに対してロック状態にさせると、平面視において、前記接点部が前記接触部に当接可能な位置に移動するように構成されていることを特徴とするカードコネクタ。
【請求項２】
前記カードを受容保持した前記カードホルダを前記ベースプレートに対してロック状態にさせると、前記カードの下面が前記接触部に当接して前記接触部を下方へ押圧移動させるとともに、前記カードホルダの先端部が前記第２スイッチコンタクトの先端部に当接して前記接点部を左右方向の前記接触部側に押圧移動させて、前記接点部と前記接触部とが当接接触し、
前記カードホルダに前記カードが受容保持されていない状態で前記カードホルダをロック状態にさせると、前記接触部が前記接点部よりも上方位置に移動したまま保持されて、前記接点部の左右方向の移動にも拘わらず前記接点部と前記接触部とが非接触状態になるように構成されていることを特徴とする請求項１に記載のカードコネクタ。
【発明の詳細な説明】
【０００１】
【発明の属する技術分野】
本発明は、カードコネクタに関し、更に詳細には、メモリーカード等のような所定情報を記録可能なカードと電子機器等との間に介在してこれら両者間の情報伝送を可能にするカードコネクタに関し、特にカードの着脱がカードホルダを介してなされる構成のカードコネクタに関する。
【０００２】
【従来の技術】
メモリーカードは内部に小型のＩＣチップを有して種々の情報を記録可能な構成となっており、小型の携帯機器にもメモリーカードが使用されるようになってきている。例えば、ＧＳＭ（Global Systems for Mobile communication）方式の携帯電話にはＩＤカードとしてＳＩＭ（Subscriber Identification Module）カードと呼ばれる小型のメモリーカードが用いられており、基板に実装されたカードコネクタを介して電子機器等との間で情報伝送が行われる。
【０００３】
携帯機器に使用されるカードコネクタとして、従来から種々の型式のカードコネクタが提案されている。例えば、機器の裏蓋内部にカード取り付けスペースを設け、メモリーカード（以下、カードと称する）の面端子が取り付けスペース奥部のコンタクトに当接接触するようにカードを取り付けた後、カードの上から機器の裏蓋を装着する構成のものが知られている。このような構成のカードコネクタは構成が簡単であるものの、カードの着脱がしにくいという難点がある他、カードの着脱時にカードを強く押さえ過ぎたりコンタクトの延びる方向と直交方向にカードをこすりつけたりした場合に、面端子やコンタクトを損傷させる虞があるという問題があった。
【０００４】
そこで、上記問題に対処するため、カードユーザーが直接カードを扱って面端子とコンタクトとを接触させるのではなく、カードを一旦カードホルダに取り付け、このカードホルダを揺動させて面端子とコンタクトとを接触させる構成のカードコネクタが提案されている。
【０００５】
このようなカードホルダを有するカードコネクタの一例を図８（ａ）に示す。同図に示すように、このカードコネクタ１００は、複数のコンタクト１１０が設けられたベースプレート１２０に対してカードホルダ１３０の後端側が枢結されて先端側を上下に揺動可能に支持するように構成されている。カードホルダ１３０は前側に挿入孔を備えてカード８０を受容保持可能なカード保持部を有し、このカード保持部内にカード８０を受容保持したカードホルダ１３０をベースプレート１２０の上面を覆うように閉じた閉姿勢位置まで揺動させると、カード８０の面端子８２がこれに対応するベースコンタクト１１０に当接接触し、閉姿勢位置のままでカードホルダ１３０を前側にスライド移動させると、カードホルダ１３０及びベースプレート１２０に設けられたロック機構６５により、カードホルダ１３０がベースプレート１２０に対してロックされるように構成されている。
【０００６】
このようなカードコネクタ１００には、携帯機器側がカードホルダ１３０にカード８０が装着されているか否かを判断可能にするため、カード８０の有無を検知するカード有無検知スイッチ機構が搭載されたものも提案されている。カード有無検知スイッチ機構の一例は、ベースプレート１２０の左右方向の一方側端部においてベースプレート１２０の前側と後側にそれぞれ前後方向に延びた状態で配置された上側コンタクト１１１及び下側コンタクト１１５と有して構成されている。
【０００７】
下側コンタクト１１５は、図８（ｂ）を更に追加して説明すると、ベースプレート１２０の前端側から後端側へ延びる下側基部１１５ａと、下側基部１１５ａの先端部から左右方向外側に屈曲及び後端側に再び屈曲して後端側へ延びて先端に上方へ突出する凸状の下接点部１１５ｃを有した下側コンタクトアーム部１１５ｂとを有して構成されている。一方、上側コンタクト１１１は、ベースプレート１２０の後端側から前端側延びて一部が斜め上方に折り曲げられて先端部が下側コンタクト１１５の下側基部１５５ａの上方位置に延びる上側基部１１１ａと、上側基部１１１ａの先端部から後端側に折り返されて下側コンタクトアーム部１１５ｂの上方を後端側に延びて先端に下方へ突出する凸状の上接点部１１１ｃを有する上側コンタクトアーム１１１ｂとを有して構成され、上接点部１１１ｃは下接点部１１５ｃの上方位置に配置されている。
【０００８】
下側コンタクト１１５及び上側コンタクト１１１は弾性変形可能な金属材料製であり、カードホルダ１３０にカード８０が装着されている状態でカードホルダ１３０を閉姿勢位置まで揺動させると、カード８０の下面が上側コンタクト１１１の上側コンタクトアーム１１１ａの先端部に当接し、上側コンタクトアーム１１１ａが下方へ弾性変形して上接点部１１１ｃが下接点部１１５ｃに当接接触した状態になり、その結果、下側コンタクト１１５と上側コンタクト１１１とが電気的に接続された状態になる。
【０００９】
また、図９（ａ）に示すように、カードコネクタ１００には、カードホルダ１３０がベースプレート１２０に対して閉じた状態でロック機構６５によりカードホルダ１３０がベースプレート１２０に対してロックされた状態にあるか否かを検知するロック有無検知スイッチ機構が搭載されたものも提案されている。このロック有無検知スイッチ機構は、ベースプレート１２０の左右方向の一方側端部の前後両端部に前後方向にぞれぞれ配設されたコンタクト１００ａ、１００ｂと、カードホルダ１３０の左右方向の一方側端部の下面側の中央部であってカード８０が挿入される挿入孔を遮らない位置に前後方向に延びた状態で配設される板状のスイッチコンタクト部１１６とを有して構成されている。カードホルダ１３０を閉姿勢位置まで揺動させると、スイッチコンタクト部１１６は後端側のコンタクト１１０ｂの先端部と当接接触した状態になり、カードホルダ１３０を閉姿勢位置から前側にスライド移動させて、ロック機構６５によりカードホルダ１３０がベースプレート１２０に対してロック状態にされると、スイッチコンタクト部１１６が後側のコンタクト１１０ｂと接触したままで前側のコンタクト１１０ａの先端部と当接接触した状態になる。その結果、一対のコンタクト１１０ａ、１１０ｂがスイッチコンタクト部１１６を介して電気的に接続された状態になる。
【００１０】
【発明が解決しようとする課題】
しかしながら、図８（ａ）に示すカード有無検知スイッチ機構では、ロック機構６５が解除されてカードホルダー１３０がベースプレート１２０に対して非ロック状態にあるときでも、カードホルダー１３０が閉姿勢位置にあれば、下側コンタクト１１５と上側コンタクト１１１とは電気的に接続された状態に維持される。このため、図８（ａ）に示すカード有無検知スイッチ機構では、これを有したカードコネクタが搭載された携帯機器が例えば落下等して、カードホルダー１３０が非ロック状態になっても、この非ロック状態を検知することができない。
【００１１】
また、図９（ａ）に示すロック有無検知スイッチ機構は、カードホルダー１３０がロック状態にあるか否かを検知することはできるが、カードホルダー１３０にカード８０が収容保持されているか否かを検知することができないという問題が生じる。
【００１２】
本発明は、このような問題に鑑みてなされたものであり、カードホルダのロック状態を検知することができるとともに、カードホルダーにカードが装着されているか否かを検知することができるカードコネクタを提供することを目的とする。
【００１３】
【課題を解決するための手段】
前記課題を解決するために本発明のカードコネクタは、複数のベースコンタクト（例えば、実施形態における前側ベースコンタクト３０、後側ベースコンタクト３５）が設けられたベースプレートと、後端側がベースプレートに枢結されて前端側が上下に揺動可能に支持され、カードを受容保持するカード保持部を有したカードホルダとを備え、ベースプレートに対してカードホルダを上方に揺動させた開姿勢位置でカード保持部にカードを受容して保持するように構成され、カード保持部にカードを受容保持させたカードホルダをベースプレートの上面を覆うように閉じた閉姿勢位置まで揺動させると、カードの面端子がこれに対応したベースコンタクトに当接接触し、閉姿勢位置に揺動されたカードホルダをベースプレートの上面上に沿ってスライド移動させると、カードホルダが閉姿勢状態でベースコンタクトにロックされるように構成されたカードコネクタにおいて、ベースプレートには、上下に移動可能な接触部を有した第１スイッチコンタクトと、左右に移動可能な接点部を有した第２スイッチコンタクトとが設けられ、第１スイッチコンタクトは、カードを受容保持したカードホルダを閉姿勢位置に揺動させると、接触部が接点部の上下位置と略同じ上下位置に移動するように構成され、第２スイッチコンタクトは、カードホルダを閉姿勢位置に揺動させた状態でベースプレートの上面上に沿ってスライド移動させて、カードホルダをベースプレートに対してロック状態にさせると、平面視において、接点部が接触部に当接可能な位置に移動するように構成される。
【００１４】
上記構成のカードコネクタによれば、第１スイッチコンタクトは、カードを受容保持したカードホルダを閉姿勢位置に揺動させると、接触部を接点部の上下位置と略同じ上下位置に移動させ、第２スイッチコンタクトは、カードホルダを閉姿勢位置に揺動させた状態でスライド移動させて、カードホルダをベースプレートに対してロック状態にさせると、平面視において、接点部が接触部に当接可能な位置に移動するように構成されることで、カードを受容保持したカードホルダを閉姿勢位置に揺動させるとともに、このベースプレートに対してロック状態にさせれば、接触部が接点部の上下位置と略同じ上下位置に移動し、接点部が接触部側へ移動して、接点部と接触部とが当接接触した状態になり、第１スイッチコンタクトと第２スイッチコンタクトとを電気的に接続させた状態にすることができる。
【００１５】
上記構成のカードコネクタにおいて、カードを受容保持したカードホルダをベースプレートに対してロック状態にさせると、カードの下面が接触部に当接して接触部を下方へ押圧移動させるとともに、カードホルダの先端部が第２スイッチコンタクトの先端部に当接して接点部を左右方向の接触部側に押圧移動させて、接点部と接触部とが当接接触し、カードホルダにカードが受容保持されていない状態でカードホルダをロック状態にさせると、接触部が接点部よりも上方位置に移動したまま保持されて、接点部の左右方向の移動にも拘わらず接点部と接触部とが非接触状態になるように構成されてもよい。
【００１６】
上記構成のカードコネクタによれば、カードを受容保持したカードホルダをベースプレートに対してロック状態にさせると、接触部が下方へ移動するとともに、接点部が左右方向の接触部側に移動して、接点部と接触部とが当接接触するので、この状態でカードホルダのロック状態が解除されると、接点部が接触部から左右方向に離反する方向に移動して、第１スイッチコンタクトと第２スイッチコンタクトとが電気的に遮断された状態になる。また、カードホルダにカードが受容保持されていない状態でカードホルダをロック状態にさせると、接触部が接点部よりも上方位置に移動したまま保持されて、接点部と接触部とが非接触状態になり、第１スイッチコンタクトと第２スイッチコンタクトとが電気的に遮断された状態になる。その結果としてカードコネクタが携帯機器等に搭載され、第１スイッチコンタクトと第２スイッチコンタクトとが電気的に接続された状態になれば、携帯機器等がカードコネクタから信号を受けるように構成される場合、携帯機器等がカードコネクタからの信号を受けない状態になると、携帯機器等は、カードホルダーが非ロック状態にあり若しくはカードホルダーにカードが非装着状態にあると判断することができる。
【００１７】
【発明の実施の形態】
以下、本発明の好ましい実施の形態について図１から図７を使用して説明する。図１はカードコネクタ及びカードの斜視図を示し、図２（ａ）はカードコネクタの平面図を示し、図２（ｂ）はカードコネクタの側面図を示し、図２（ｃ）は同図（ａ）のＡ−Ａ矢視に相当する部分の断面図を示す。尚、本明細書においては、説明の便宜上、図１中に示す座標軸を前後、左右及び上下方向として定義して説明する。
【００１８】
カードコネクタ１は、図１に示すように、矩形平板状のベースプレート１０と、このベースプレート１０に上下に揺動可能および前後にスライド移動可能に支持されたカードホルダー２０と、ベースプレート１０に圧入固定された複数の前側ベースコンタクト３０及び後側ベースコンタクト３５と、ベースプレート１０に圧入固定された第１スイッチコンタクト４０及び第２スイッチコンタクト５０とを有して構成されている。ベースプレート１０に対してカードホルダー２０を開いた開姿勢位置でカードホルダー２０が１枚のカード８０（例えば、メモリカード）を受容保持し、ベースプレート１０の上面を覆うようにカードホルダー２０を倒伏させて閉じた閉姿勢位置において、カード８０に設けられた面端子８２と前側ベースコンタクト３０とを当接接触させるとともに、カード８０に設けられた面端子８２と後側ベースコンタクト３５とを当接接触させる形態のカードコネクタである。
【００１９】
ベースプレート１０は、矩形平板状のプレート部１１とこのプレート部１１の後端側の左右に形成された軸支部１２，１２とプレート部１１の前端側の左右に形成された前方保持部１３Ｌ，１３Ｒとプレート部１１の中間部の左右側部に立設された中央張出部１４，１４とを有して形成され、例えば、液晶ポリマー（ＬＣＰ）やポリフェニレンサルファイド（ＰＰＳ）ポリアミドイミド（ＰＡＩ）などの電気絶縁性の樹脂材料を用いて射出成形等の成形手段により図示する形状に一体成形される。
【００２０】
プレート部１１の前側中央部及び後側中央部には、プレート部１１の前後方向に延びる長孔状のコンタクトスロット１５が左右に３個ずつ前後２列に並んで形成され、コンタクトスロット１５とプレート部１１の前側端面及び後側端面との間には前側ベースコンタクト３０及び後側ベースコンタクト３５を保持する蟻溝状のコンタクト保持溝１６が複数形成されている。プレート部１１の右側端部には、プレート部１１の前後方向に延びる長孔状のスイッチスロット１７が形成され、スイッチスロット１７とプレート部１１の前側端面及び後側端面との間には第１スイッチコンタクト４０及び第２スイッチコンタクト５０を保持する蟻溝状のコンタクト保持溝１６がそれぞれ形成されている。スイッチスロット１７は、プレート部１１の前側に形成されて前後方向に延びてコンタクトスロット１５よりも開口面積が大きな矩形状の前側スロット部１７ａと、プレート部１１の後側に形成されて前後方向に延びコンタクトスロット１５よりも開口面積が大きな矩形状の後側スロット部１７ｂと、前側スロット部１７ａ及び後側スロット部１７ｂを連通する連通スロット部１７ｃとを有して形成されている。連通スロット部１７ｃは前側スロット部１７ａの先端右側位置と後側スロット部１７ｂの先端右側位置との間を繋いでいる。
【００２１】
前側ベースコンタクト３０は、図２（ｃ）に示すように、コンタクト保持溝１６に固定される図３（ｂ）に示す基部３０ａと、この基部３０ａから細長いフィンガー状に斜め上方に延びたコンタクトアーム部３０ｂと、コンタクトアーム部３０ｂの先端部に形成された上方に凸状の接触部３０ｃと、基部３０ａから下方に屈曲および水平に折り返されたリード部３０ｄとからなり、例えば、ベリリューム銅やバネ用ステンレス鋼などの導電性金属材料の薄板をファインブランキングプレス等の成形手段により加工成形して図示する形状に構成する。
【００２２】
前側ベースコンタクト３０は、図２（ｃ）に示すプレート部１１に形成されたコンタクト保持溝１６からコンタクトスロット１５側に向けて挿入され、基部３０ａがコンタクト保持溝１６に圧入されてベースプレート１０に取り付けられる。前側ベースコンタクト３０は、基部３０ａがコンタクト保持溝１６に固定保持されると、コンタクトスロット１５に突出するコンタクトアーム部３０ｂが片持ち支持された板バネのように作用し、アーム先端の接触部３０ｃが上下に揺動可能に支持される。
【００２３】
このため、接触部３０ｃは無負荷時においてコンタクトスロット１５からプレート部１１の上面に突出して位置しているが、上方から押圧されるとコンタクトアーム部３０ｂが弾性変形して下方に揺動し、接触部３０ｃを含むコンタクトアーム部３０ｂ全体がコンタクトスロット１５内に押し沈められるようにして収容される。基部３０ａから下方に屈曲および水平に折り返されたリード部３０ｄは、このコンタクトが取り付けられた状態においてプレート部１１の下面と略同一高さに位置しており、プレート部下面から突出する位置決めピン１８で実装基板の回路パターン（図示せず）と位置整合されたリード部３０ｄがこの基板上の回路パターンに半田接合（サーフェースマウント）される。
【００２４】
後側ベースコンタクト３５は、前側ベースコンタクト３０と同様な構成であるので、同一態様部分については準じた符号を附してその説明を省略する。なお、基部を３５ａとし、コンタクトアーム部を３５ｂとし、接触部を３５ｃとし、リード部を３５ｄとして表す。
【００２５】
後側ベースコンタクト３５は、プレート部１１の後部に形成されたコンタクト保持溝１６からコンタクトスロット１５に向けて挿入され、基部３５ａがコンタクト保持溝１６に圧入されてベースプレート１０に取り付けられる。後側ベースコンタクト３５は、基部３５ａがコンタクト保持溝１６に固定保持されると、前側に突出するコンタクトアーム部３５ｂが片持ち支持された板バネのように作用し、アーム先端の接触部３５ｃが上下方向に揺動可能に支持される。
【００２６】
このため、カードホルダ２０が下方へ揺動して後述するカードの下面が後側ベースコンタクト３５の接触部３５ｃを上方から押圧すると、コンタクトアーム部３５ｂが弾性変形して下方に揺動し、接触部３５ｃがコンタクトスロット１５内に押し沈められるようにして収容される。基部３５ａから下方に屈曲および水平に折り返されたリード部３５ｄは、このコンタクトが取り付けられた姿勢においてプレート部１１の下面と略同一高さに位置しており、プレート部下面に突出する位置決めピン１８で実装基板の回路パターン（図示せず）と位置整合されたリード部３５ｄが基板上の回路パターンに半田接合（サーフェースマウント）される。
【００２７】
さて、第１スイッチコンタクト４０は、図３（ａ）に示すように、図１に示すベースプレート１０の前側に形成されたコンタクト保持溝１６に固定される基部４０ａと、この基部４０ａから細長いフィンガー状に延びた連結アーム部４０ｂと、連結アーム部４０ｂの先端部から折り返されて前側上方へ延びるスイッチアーム部４０ｃと、スイッチアーム部４０ｃの先端部に形成され、左側へ突出して下方へ屈曲した接触部４０ｄと、基部３０ａから下方に屈曲および水平に折り返されたリード部４０ｅとからなり、例えば、ベリリューム銅やバネ用ステンレス鋼などの導電性金属材料の薄板をファインブランキングプレス等の成形手段により加工成形して図示する形状に構成する。
【００２８】
第１スイッチコンタクト４０は、図１に示すベースプレート１０の前側に形成されたコンタクト保持溝１６から前側スロット部１７ａ側に向けて挿入され、図３（ｃ）に示すように、基部４０ａが図１に示すコンタクト保持溝１６に圧入されてベースプレート１０に取り付けられる。第１スイッチコンタクト４０は、基部４０ａがコンタクト保持溝１６に固定保持されると、連結アーム部４０ｂは前側スロット部１７ａ内に突出した状態で収容され、連結アーム部４０ｂに繋がるスイッチアーム部４０ｃは連結アーム部４０ｂにより片持ち支持された板バネのように作用し、アーム部先端の接触部４０ｄが上下に揺動可能に支持される。
【００２９】
このため、接触部４０ｄは無負荷時において前側スロット部１７ａからプレート部１１の上面に突出して位置しているが、上方から押圧されるとスイッチアーム部４０ｃが弾性変形して下方に揺動し、接触部４０ｄを含むスイッチアーム部４０ｃ全体が前側スロット部１７ａ内に押し沈められるようにして収容される。基部４０ａから下方に屈曲および水平に折り返されたリード部４０ｅは、このコンタクトが取り付けられた状態においてプレート部１１の下面と略同一高さに位置しており、プレート部下面から突出する図２（ｃ）に示す位置決めピン１８で実装基板の回路パターン（図示せず）と位置整合されたリード部４０ｅがこの基板上の回路パターンに半田接合（サーフェースマウント）される。
【００３０】
第２スイッチコンタクト５０は、図３（ａ）に示すように、図３（ｂ）に示す後側のコンタクト保持溝１６に固定される基部５０ａと、この基部５０ａから細長いフィンガー状に延びた連結アーム部５０ｂと、連結アーム部５０ｂの先端部から下側に屈曲、左側に屈曲する接続アーム部５０ｃと、接続アーム部５０ｃの先端部から前側に屈曲して前側に延びるスイッチアーム部５０ｄと、スイッチアーム部５０ｄの先端部に形成されて右側に突出する凸状の接点部５０ｅと、接点部５０ｅよりも前側へ延びるコンタクト先端部５０ｆと、コンタクト先端部５０ｆの先端部に形成されて左側に突出する凸状の突出部５０ｇと、基部５０ａから下方に屈曲および水平に折り返されたリード部５０ｈとからなり、例えば、ベリリューム銅やバネ用ステンレス鋼などの導電性金属材料の薄板をファインブランキングプレス等の成形手段により加工成形して図示する形状に構成する。なお、図３（ｂ）は、前側ベースコンタクト３０、後側ベースコンタクト３５、第１スイッチコンタクト４０及び第２スイッチコンタクト５０がベースプレート１０に一部が仮挿入されている状態を示している。
【００３１】
第２スイッチコンタクト５０は、図３（ｂ）に示すプレート部１１の後側に形成されたコンタクト保持溝１６から後側スロット部１７ｂ側に向けて挿入され、図３（ｃ）に示すように、基部５０ａがコンタクト保持溝１６に圧入されてベースプレート１０に取り付けられる。第２スイッチコンタクト５０は、基部５０ａがコンタクト保持溝１６に固定保持されると、連結アーム部５０ｂが後側スロット部１７ｂ内に突出した状態で収容され、連結アーム部５０ｂの先端部がプレート部１１の右側に突設された段部９の後側端部に当接して、第２スイッチコンタクト５０の前後位置が位置決めされている。図３（ｂ）に示す接続アーム部５０ｃは段部９の下面の下方に位置して右側に延び、連結スロット部１７ｃに延出している。連結スロット部１７ｃの先端部に繋がるスイッチアーム部５０ｄは、連通スロット部１７ｃ内を前後方向に挿通して前側スロット部１７ａ内に突出した状態で収容され、スイッチアーム部５０ｄの先端部に形成された接点部５０ｅも前側スロット部１７ａ内に突出した状態で収容される。また、基部５０ａがコンタクト保持溝１６に固定保持されると、スイッチアーム部５０ｄの先端部に繋がるコンタクト先端部５０ｆは、前側スロット部１７ａから上方へ延出して前側スロット部１７ａよりも左側のプレート部１１の上面上に沿ってベースプレート１０の前側に延び、コンタクト先端部５０ｆの先端に形成された突出部５０ｇは、前方保持部１３Ｒよりも後側であってプレート部１１の左側側面よりも左側に突出する。
【００３２】
ここで、接点部５０ｅは第１スイッチコンタクト４０の接触部４０ｄのベースプレート１０に対する前後位置と略同一位置になるように配置されている。このため、第１スイッチコンタクト４０が無負荷時において、接触部４０ｄは前側スロット部１７ａの上方位置に移動しているので、接点部５０ｅがベースプレート１０の内側方向に移動しても、接点部５０ｅが接触部４０ｄに当接接触することはない。一方、第１スイッチコンタクト４０に負荷が作用している時においては、接触部４０ｄは前側スロット部１７ａ内に移動するので、接点部５０ｅがベースプレート１０の内側に移動すると、接点部５０ｅが接触部４０ｄに当接接触する。
【００３３】
このような第２スイッチコンタクト５０の基部５０ａから下方に屈曲および水平に折り返されたリード部５０ｈは、このコンタクトが取り付けられた状態においてプレート部１１の下面と略同一高さに位置しており、プレート部下面から突出する図２（ｃ）に示す位置決めピン１８で実装基板の回路パターン（図示せず）と位置整合されたリード部３０ｄがこの基板上の回路パターンに半田接合（サーフェースマウント）される。
【００３４】
さて、図１に示すように、カードホルダ２０には前端が開口して前後方向に延びてカード８０を受容保持するカード保持部２１が形成されている。カード保持部２１は下面側が開口し、前端側の左右両側部に前後に延びるとともに内側へ突出してカード８０の左右両端部を保持する前方張出部２２を有している。カードホルダ２０の左右両端部の略中央部には後端側へ延出する後方張出部２８，２８が形成され、後方張出部２８，２８の先端部には前方側へ突出する後段部２８ａが形成されている。前方長出部２２の前端部には前方側へ突出する前段部２２ａが形成され、カード保持部２１の後端内側には前側へ突出するストッパ２４が形成されている。カードホルダ２０はベースプレート１０と同様の樹脂材料を用いて一体成形される。
【００３５】
カード保持部２１に形成された前方長出部２２の前端は中心側が開口した「コ」字状に形成されており、この「コ」字状に形成された前方長出部２２は、前端に形成されたカード挿入口５９から挿入されるカード８０を前方長出部２２の内面で案内して、スムーズに挿入できるように構成されている。
【００３６】
カードホルダ２０の後側に形成されたストッパ２４は、カードホルダ２０に挿入されたカード８０の先端部（カードホルダ２０に挿入された側の端部）を当接させて、カードホルダ２０内でカード８０を位置決めする。なお、図１に示すカード８０の本体部８１の後端側の右角部には、カード８０の向きを明瞭にするためのテーパ部８３が形成されており、カード８０はこのテーパ部８３がカード８０の挿入方向に対して後方右側に位置する姿勢（このときカード裏面の面端子８２が倒伏方向下面になる）でカードホルダ２０内に挿入される。
【００３７】
カードホルダ２０の左右に形成された後方張出部２８，２８の後端部分はカードホルダ２０の後端から延出しており、図４に示すように、その先端部にはそれぞれ左右内側に突出する半円筒状の軸部２２ｃが形成されている。
【００３８】
一方、これらの左右の軸部２２ｃ，２２ｃを受容して支持するベースプレート側の軸支部１２，１２は、前後に形成されたスライド規制面１２ａ，１２ｂ、下方に凸の円筒形状面１２ｃ、及び前側スライド規制面１２ａと円筒形状面１２ｃとの間を滑らかに繋げる逃げ面１２ｄなどから構成されており、これらの各面に囲まれて下方および左右外方に開いた軸支空間１２ｓが形成されている。後側スライド規制面１２ｂと円筒形状面１２ｃとの間には、図２（ａ）に示す平面視において左右外側に開く「コ」字状のカードホルダ取付口８が形成されており、カードホルダ側の軸部２２ｃは図１に示すカードホルダ２０を垂直にした取付姿勢（軸部２２ｃの平坦面が円筒形状面１２ｃに当接する姿勢）でカードホルダ取付口８の上方から圧入され、軸支空間１２ｓ内に挿入される。
【００３９】
軸支空間１２ｓ内では、下方に凸の円筒形状面１２ｃと上方に凸の軸部２２ｃとが対峙し、常に円筒面同士が当接している。また軸支空間１２ｓにおける前後のスライド規制面１２ａ，１２ｂの間隔は軸部２２ｃの直径よりも大きく形成されており、軸部２２ｃはこの軸支空間１２ｓ内を前後に移動することができる。このため、図１に示すように、カードホルダ２０はベースプレート１０に対して開いた開姿勢位置と、カードホルダ２０がベースコンタクト３０等を上方から覆うようにベースプレート１０上に閉じた閉姿勢位置との間で上下に揺動（開閉）可能である。
【００４０】
このようにして揺動可能かつスライド移動可能に支持されたカードホルダ２０の前方張出部２２と後方張出部２８との間には、図２（ｂ）に示すように、切り欠き部６１が形成され、この切り欠き部６１内を移動する中央張出部１４の後部と後方張出部２８の前部との間にはロック機構６５が設けられている。
【００４１】
ロック機構６５は、左右の中央張出部１４の後部に形成されたプレート側ロックアーム１４ｍと、後方張出部２８の前部に形成されたホルダー側ロックアーム２８ｍとからなる。プレート側ロックアーム１４ｍは、中央張出部１４の後方上部から後方に向けて突出する腕部１４ｍ１の後端側に下向きの凸状突起１４ｍ２が形成されて構成され、ホルダー側ロックアーム２８ｍは後方張出部２８の前方下部から前方に向けて突出する腕部２８ｍ１の前端側に上向きの凸状突起２８ｍ２が形成されて構成される。
【００４２】
また、ベースプレート１０の左右前端部に形成された図２（ａ）に示す前方保持部１３Ｌ，１３Ｒの各底面側部には、カードホルダ２０の前端側に延びた前方張出部２２、２２の先端部に形成された前段部２２ａを受容する保持溝１３ｈ，１３ｈが形成されている。ベースプレート１０側の保持溝１３ｈとカードホルダー２０側の前段部２２ａとは、カードホルダ２０が倒伏され、カードホルダ２０がベースプレート１０の前方側にスライド移動されると、カードホルダ２０の前段部２２ａがベースプレート１０の保持溝１３ｈ内に案内されて嵌入するように構成されている。
【００４３】
更に、切り欠き部６１内を移動する中央張出部１４の前部と前方張出部２２の後部との間にはカム機構（ガイド機構）６９が設けられている。カム機構６９は、中央張出部１４の上端面からプレート部１１に向けて斜めに傾斜する円弧状の第１カム面（ガイド面）１４ｆと、前方張出部２２の後方縁部に形成されて斜め下方に傾斜する円弧状の第２カム面（スライド面）２２ｆとを有して構成される。このため、カードホルダ２０が閉姿勢位置まで揺動倒伏されるときに、第２カム面２２ｆが第１カム面１４ｆに当接してこの面上を滑り、カードホルダ２０が揺動倒伏しながらベースプレート１０の前方側にスライド移動するように案内される。
【００４４】
このようにカム機構６９を設けると、図５に示すように、カード８０を保持したカードホルダ２０を下方へ揺動させると、カードホルダ２０が図４に示す軸部２２ｃを揺動中心としてベースプレート１０の上面を覆うように倒伏動し、更にカードホルダ２０を下方へ揺動させると、図４に示す軸部２２ｃの円弧状の面がスライド規制面１２ｂ及び円筒形状面１２ｃと摺接しながら軸部２２ｃが時計方向に回動して、図７（ａ）に示すように、カードホルダ２０がベースプレート１０の上面を覆うように倒伏する。そして、更にカードホルダ２０を倒伏させると、図７（ｂ）に示すように、カードホルダ２０の第２カム面２２ｆが第１カム面１４ｆと当接し、このときカードホルダ２０を押し下げる力が両カム面１４ｆ，２２ｆの当接法線方向に作用してカードホルダ２０は前方へスライド移動される。
【００４５】
その結果、カードホルダ２０は、図２（ｂ）に示すように、ホルダ側ロックアーム２８ｍの円弧状の突起２８ｍ２がプレート側ロックアーム１４ｍの円弧状の突起１４ｍ２を乗り越えるように移動して相互に係合し、カードホルダ２０の前後方向の自由移動が規制される。また、この係合状態では上下に組み合う腕部１４ｍ１，２８ｍ１によりカードホルダ２０が開放方向に揺動することを規制する。更に、閉姿勢位置において、前段部２２ａ，２２ａが保持溝１３ｈ、１３ｈに嵌入してカードホルダ２０の開放方向への揺動を規制する。
【００４６】
図７（ｂ）に示すように、左右の前方保持部１３Ｌ，１３Ｒのうち右側の前方保持部１３Ｒには、カードホルダ２０に保持されたカード８０の右角部に形成されたテーパ部８３と対峙するカード保持壁１３Ｒａが形成されている。このカード保持壁１３Ｒａは、カードホルダ２０が閉じられた閉姿勢位置においてカードホルダ後端側の図１に示すストッパ２４との間で前後方向にカード８０を保持し、前後方向に衝撃力が作用したときに、その反力で滑り移動するカード８０を当接支持してカード８０の脱落を防止する。
【００４７】
次に、上記構成のカードコネクタ１に、カード８０を取り付ける際の手順および各部の作動について説明する。先ず、図１に示すように、カードホルダ２０が上方に開いた開姿勢位置において、カード８０の前端部をカード保持部２１のカード挿入口５９からカードホルダ２０と平行に挿入する。カード８０はカード保持部２１内を移動し、カード８０の前端面がストッパ２４に当接した位置でカードホルダ２０に保持される。
【００４８】
続いて、カード８０を保持したカードホルダ２０を図５に示す矢印の方向へ揺動させると、カードホルダ２０は、図７（ａ）に示すように、図４に示す軸部２２ｃを揺動中心としてベースプレート１０の上面を覆うように倒伏動し、図２（ｂ）に示すカム機構６９により、図７（ｂ）に示すように、カードホルダ２０が下方へ揺動しながら前方にスライド移動されて閉姿勢位置に移動する。そして、カードホルダ２０を閉姿勢位置のままでベースプレート１０の上面を沿うように前側にスライド移動させると、図２（ｂ）に示すように、カードホルダ２０の前段部２２ａがベースプレート１０の保持溝１３ｈ内に入り込んで係止保持され、且つ、プレート側ロックアーム１４ｍとホルダー側ロックアーム２８ｍとが係合し、カードホルダ２０は閉姿勢の状態でロック保持される。
【００４９】
ここで、第１スイッチコンタクト４０と第２スイッチコンタクト５０の作動について説明する。図７（ｂ）に示すカードホルダ２０を閉姿勢位置まで揺動倒伏させると、図６（ａ）に示すように、図５に示すカード８０の前端右側の下面が第１スイッチコンタクト４０の接触部４０ｄの上面に当接して接触部４０ｄを下方へ押圧移動させて、接触部４０ｄが第２スイッチコンタクト５０の接点部５０ｅの上下位置と略同じ上下位置に移動する。このとき、図７（ｂ）に示すカードホルダ２０は閉姿勢位置まで揺動倒伏されると、前方張出部２２の先端部は突出部５０ｇよりも後方側に位置するように構成されているので、前方張出部２２の先端部が突出部５０ｇに当接することはない。
【００５０】
続いて、図７（ｂ）に示すカードホルダ２０を前側にスライド移動させると、図６（ｂ）に示すように、前方長出部２２の内側面２２ｂが第２スイッチコンタクト５０の先端の突出部５０ｇに当接し、突出部５０ｇを左右方向の接触部４０ｄ側へ押圧移動させる。その結果、スイッチアーム部５０ｄ全体が接触部４０ｄ側へ撓み、接点部５０ｅが接触部４０ｄ側へ移動する。このとき、接触部４０ｄの上下位置は前述したように接点部５０ｅのそれと略同一位置にあるので、接点部５０ｅは接触部４０ｄと当接接触した状態に保持され、第１スイッチコンタクト４０及び第２スイッチコンタクト５０が電気的に接続された状態になる。
【００５１】
ここで、本発明に係わる図１に示すカードコネクタ１が図示しない携帯機器等に搭載され、第１スイッチコンタクト４０と第２スイッチコンタクト５０とが電気的に接続された状態になると信号を受けるように携帯機器等が構成されている場合を想定する。図５に示すカードホルダー２０にカード８０が装着され、且つ図２（ｂ）に示すロック機構６５によりカードホルダー２０がベースプレート１０に対してロック状態にされているときに、携帯機器等が落下等してカードホルダー２０のロック状態が解除されると、図６（ａ）に示すように、第１スイッチコンタクト４０と第２スイッチコンタクト５０とは非接触状態になる。これは、カードホルダー２０のロックが解除されると、前方長出部２２の先端部が第２スイッチコンタクト５０の先端の突出部５０ｇよりも後端側へ移動し、接触部４０ｄ側へ撓んでいたスイッチアーム部５０ｄ全体が接触部４０ｄから左右方向の離反する方向（図６の左側方向）に揺動して、接点部５０ｅが接触部４０ｄから離反するためである。
【００５２】
また、図２（ａ）に示すように、カードホルダー２０にカード８０が装着されていない状態で、カードホルダー２０がベースプレート１０に対してロックされた状態にあるときには、図６（ｂ）に示すように、第２スイッチコンタクト５０の接点部５０ｅは、平面視において左右方向の接触部４０ｄ側に移動して接触部４０ｄと当接可能な位置にあるにも拘わらず、第１スイッチコンタクト４０のスイッチアーム部４０ｃはカード８０による押圧がないので、スイッチアーム部４０ｃは元の状態にある。このため、接触部４０ｄは図３（ｃ）に示す前側スロット部１７ａよりも上方位置にあり、接触部４０ｄと接点部５０ｅは非接触状態になる。
【００５３】
その結果、携帯機器等は、前述したようにカードコネクタ１からの信号を受けない状態になると、カードホルダー２０が非ロック状態にあり、若しくはカードホルダー２０にカード８０が装着されていない状態にあると判断することができる。
【００５４】
なお、前述した実施の形態では、図１に示すように、第１スイッチコンタクト４０及び第２スイッチコンタクト５０をベースプレート１０の左側端部に配設したが、ベースプレート１０の右側端部に配設してもよい。また、前述した実施の形態では、ベースプレート１０の上面上をカードホルダ２０が前側にスライド移動可能な構成を示したが、カードホルダ２０がベースプレート１０の上面上を後側、左側及び右側のいずれかにスライド移動できるようにしてもよい。
【００５５】
【発明の効果】
以上説明したように、本発明によれば、第１スイッチコンタクトは、カードを受容保持したカードホルダを閉姿勢位置に揺動させると、接触部を接点部の上下位置と略同じ上下位置に移動させ、第２スイッチコンタクトは、カードホルダを閉姿勢位置に揺動させた状態でスライド移動させて、カードホルダをベースプレートに対してロック状態にさせると、平面視において、接点部が接触部に当接可能な位置に移動するように構成することで、カードを受容保持したカードホルダを閉姿勢位置に揺動させるとともに、このベースプレートに対してロック状態にさせれば、接触部が接点部の上下位置と略同じ上下位置に移動し、接点部が接触部側へ移動して、接点部と接触部とが当接接触した状態になり、第１スイッチコンタクトと第２スイッチコンタクトとを電気的に接続させた状態にすることができる。
【００５６】
また、カードを受容保持したカードホルダをベースプレートに対してロック状態にさせると、接触部が下方へ押圧移動するとともに、接点部が左右方向の接触部側に押圧移動して、接点部と接触部とが当接接触するように構成される場合、この状態でカードホルダのロック状態が解除されると、接点部が接触部から左右方向に離反する方向に移動して第１スイッチコンタクトと第２スイッチコンタクトとが電気的に遮断された状態になる。またカードホルダにカードが受容保持されていない状態でカードホルダをロック状態にさせると、接触部が接点部よりも上方位置に移動したまま保持されて、接点部と接触部とが非接触状態になるように構成された場合、カードホルダにカードが受容保持されていない状態でカードホルダがロック状態になると、第１スイッチコンタクトと第２スイッチコンタクトとが電気的に遮断された状態になる。その結果としてカードコネクタが携帯機器等に搭載され、第１スイッチコンタクトと第２スイッチコンタクトとが電気的に接続された状態になると、携帯機器等がカードコネクタから信号を受けるように構成される場合、携帯機器等がカードコネクタからの信号を受けない状態になれば、携帯機器等は、カードホルダーが非ロック状態にあり若しくはカードホルダーにカードが非装着状態にあることを判断することができる。
【図面の簡単な説明】
【図１】本発明の一実施の形態に係るカードコネクタをこのカードコネクタに装着されるメモリーカードとともに示す斜視図である。
【図２】本発明の一実施の形態に係るカードコネクタを示し、同図（ａ）はカードホルダがベースプレートに対してロック状態にあるときにカードコネクタの平面図であり、同図（ｂ）はカードコネクタの側面図であり、同図（ｃ）は同図（ａ）のＡ−Ａ矢視に相当する部分の断面図である。
【図３】本発明の一実施の形態に係るベースプレートとこれに装着される第１スイッチコンタクト及び第２スイッチコンタクトを示し、同図（ａ）は第１スイッチコンタクト及び第２スイッチコンタクトの斜視図であり、同図（ｂ）は第１スイッチコンタクト及び第２スイッチコンタクトの一部がベースプレートに仮挿入された状態を示す斜視図であり、同図（ｃ）は第１スイッチコンタクト及び第２スイッチコンタクトがベースプレートに装着された状態を示す斜視図である。
【図４】本発明の一実施の形態に係るカードコネクタの図１中のＢ−Ｂ矢視に相当する部分の断面図を示す。
【図５】本発明の一実施の形態に係るカードコネクタにおいて、カードを装着したカードホルダを閉揺動させる状態を示す斜視図である。
【図６】本発明の一実施の形態に係るカードコネクタの要部を示し、同図（ａ）はカードホルダが前側にスライド移動しているときのカードコネクタの要部を示し、同図（ｂ）はカードホルダがベースプレートに対してロック状態にあるときのカードコネクタの要部を示す。
【図７】本発明の一実施の形態に係るカードコネクタにおいて、カードを装着したカードホルダを閉揺動させる状態を示す斜視図である。
【図８】従来におけるカードコネクタ及びこれに装着されるスイッチコンタクトの斜視を示す。
【図９】従来におけるカードコネクタ及びこれに装着されるスイッチコンタクトの斜視を示す。
【符号の説明】
１  カードコネクタ
１０  ベースプレート
２０  カードホルダ
２１  カード保持部
３０  前側ベースコンタクト（ベースコンタクト）
３５  後側ベースコンタクト（ベースコンタクト）
４０  第１スイッチコンタクト
４０ｄ  接触部
５０  第２スイッチコンタクト
５０ｅ  接点部
８０  カード
８２  面端子
【図１】
0003807730.tif 000002
【図２】
0003807730.tif 000003
【図３】
0003807730.tif 000004
【図４】
0003807730.tif 000005
【図５】
0003807730.tif 000006
【図６】
0003807730.tif 000007
【図７】
0003807730.tif 000008
【図８】
0003807730.tif 000009
【図９】
0003807730.tif 000010